(57)【要約】【課題】  複数の条件設定や実行環境設定を含む作業を実行する際に、実行済みの作業履歴を容易に再利用することができる管理システム、管理方法及びそのプログラムを提供することを目的とする。【解決手段】  複数の設定を含む処理の作業履歴を取得する取得手段と、取得手段により取得された作業履歴を提示する提示手段と、提示手段に提示された作業履歴のうち少なくとも一つを選択する選択手段（４０２，４０３）と、選択手段により選択された作業履歴の設定を再利用した処理を実行させる実行制御手段と、を備え、提示手段は、同一設定の作業履歴が複数存在する場合に当該作業履歴を認識可能に提示する。【選択図】  図４
2013186828.tif 000002
【特許請求の範囲】
【請求項１】
複数の設定を含む処理の作業履歴を取得する取得手段と、
前記取得手段により取得された作業履歴を提示する提示手段と、
前記提示手段に提示された作業履歴のうち少なくとも一つを選択する選択手段と、
前記選択手段により選択された作業履歴の設定を再利用した処理を実行させる実行制御手段と、
を備え、
前記提示手段は、同一設定の作業履歴が複数存在する場合に当該作業履歴を認識可能に提示することを特徴とする情報処理装置。
【請求項２】
請求項１に記載の情報処理装置において、前記実行制御手段は、前記選択手段による作業履歴の選択をトリガとして自動で作業履歴の設定を再利用した処理を実行させることを特徴とする情報処理装置。
【請求項３】
請求項１又は２に記載の情報処理装置において、前記設定は、条件設定及び実行環境設定のうち少なくとも一方であることを特徴とする情報処理装置。
【請求項４】
請求項１〜３のいずれか一項に記載の情報処理装置において、
現在の実行環境と作業履歴の実行環境に相違があるか否かを判定する判定手段と、
前記判定手段の判定結果に基づいて、前記相違についての情報を提示する提示手段と、をさらに備えることを特徴とする情報処理装置。
【請求項５】
複数の設定を含む処理の作業履歴を取得する取得工程と、
前記取得工程において取得された作業履歴を提示する提示工程と、
前記提示工程において提示された作業履歴のうち少なくとも一つを選択する選択工程と、
前記選択工程により選択された作業履歴の設定を再利用した処理を実行させる実行制御工程と、
を備え、
前記提示工程は、同一設定の作業履歴が複数存在する場合に当該作業履歴を認識可能に提示することを特徴とする情報処理方法。
【請求項６】
請求項５に記載の情報処理方法をコンピュータにより実行することを特徴とするプログラム。
【発明の詳細な説明】
【技術分野】
【０００１】
作業履歴の表示に関する情報処理を行う情報処理装置、情報処理方法及びそのプログラムに関する。
【背景技術】
【０００２】
従来、カラーマネージメントでは、各デバイスの特性を記述したプロファイルが必要となるため、プロファイル作成のため専用の測色器が用いられてきたが、カラーマネージメントに対する一般ユーザーの要求に伴い、測色器を備えるプリンタが製品化されている。測色器を備えるプリンタは、専用の測色器を介さずに、プリンタプロファイルの作成や色認証、カラーキャリブレーションを行うことができる。そこで、本出願人は、プロファイル作成履歴を再利用して過去のプロファイル作成環境を再現する色処理装置を提案している（特許文献１参照）。
【先行技術文献】
【特許文献】
【０００３】
【特許文献１】特開２０１１−１１６１２９号公報
【発明の概要】
【発明が解決しようとする課題】
【０００４】
特許文献１には、プロファイル作成履歴を再利用して過去のプロファイル作成環境を再現することが開示されている。具体的には、タイムスタンプ付のプロファイル作成履歴のリストをモニタに表示し、作成履歴を選択して過去に使用したパラメータ設定を再現することが開示されている。
【０００５】
タイムスタンプ情報により作業履歴を表示する場合、同じ条件設定が複数回行われた場合でも履歴が複数回表示されることになる。しかしながら、プロファイルの作成には、プリンタ、用紙の種類、測色の条件などいくつもの条件が設定されており、同じ条件設定の履歴を識別するのが難しいという問題があった。このため、作業履歴を確認して、同じ条件設定を識別して作業履歴の再利用の指示をするのは容易ではなかった。
【０００６】
なお、このような問題は、色処理装置に限らず、複数の設定を含む処理の表示に関する情報処理を行う情報処理装置においても同様に生じていた。
【０００７】
本発明はこのような事情に鑑みてなされたものであり、複数の設定を含む作業を実行する際に、実行済みの作業履歴を容易に再利用することができる情報処理装置、情報処理方法及びそのプログラムを提供することを目的とする。
【課題を解決するための手段】
【０００８】
上記課題を解決する本発明の態様は、複数の設定を含む処理の作業履歴を取得する取得手段と、前記取得手段により取得された作業履歴を提示する提示手段と、前記提示手段に提示された作業履歴のうち少なくとも一つを選択する選択手段と、前記選択手段により選択された作業履歴の設定を再利用した処理を実行させる実行制御手段と、を備え、前記提示手段は、同一設定の作業履歴が複数存在する場合に当該作業履歴を認識可能に提示することを特徴とする情報処理装置にある。
【発明の効果】
【０００９】
本発明によれば、複数の設定を含む作業を実行する際に、実行済みの作業履歴を容易に再利用することができる管理システム、管理方法及びそのプログラムを提供することができる。
【図面の簡単な説明】
【００１０】
【図１】実施形態１に係るシステム構成図である。
【図２】実施形態１に係るホストＰＣのハードウェアの構成図である。
【図３】実施形態１に係る測色管理プログラムのソフトウェアの構成図である。
【図４】実施形態１に係る測色作業の開始画面を示す図である。
【図５】実施形態１に係る測色作業履歴テーブルである。
【図６】実施形態１に係る履歴表示リスト判断フローである。
【図７】実施形態１に係る履歴実行環境の説明図である。
【図８】実施形態１に係る履歴実行環境判断フローである。
【図９】他の実施形態に係る測色作業開始画面の履歴タブを示す図である。
【発明を実施するための形態】
【００１１】
以下、本発明を実施するための形態について図面を用いて説明する。
【００１２】
（実施形態１）
図１は、本発明に係る測色管理システムのシステム構成図である。
【００１３】
測色管理システムは、ホストＰＣ１０１と、測色器を備える印刷装置１０２と、測色器を備える印刷装置１０３と、測色器を備える印刷装置１０４とを備えている。図１では、測色器を備える印刷装置１０２、測色器を備える印刷装置１０３、測色器を備える印刷装置１０４が、測色管理システムの管理対象となる印刷装置であるが、測色管理システムの管理対象となる印刷装置の台数は限定されず、１台以上であればよい。
【００１４】
ホストＰＣ１０１は、印刷装置１０２、印刷装置１０３、印刷装置１０４の制御処理を実行するホストコンピュータであり、コンピューターソフトウェアを実行できる汎用的なコンピュータにより構成される。ホストＰＣ１０１の物理的な構成については図２を用いて後述する。
【００１５】
印刷装置１０２は、ローカルＩ／Ｆ１０５により、ホストＰＣ１０１に接続されている。また、印刷装置１０３は、ネットワーク１０６を経由してホストＰＣ１０１に接続されている。印刷装置１０４は、ネットワーク１０６から無線ネットワーク１０７を経由してホストＰＣ１０１に接続されている。
【００１６】
測色器を備える印刷装置１０２、測色器を備える印刷装置１０３、及び測色器を備える印刷装置１０４は、それぞれ、測色器を内蔵している印刷装置又はオプションとして製品の出荷後に測色器を装着した印刷装置である。また、印刷装置１０２、印刷装置１０３、及び印刷装置１０４は、それぞれ温度センサー及び湿度センサーを備えている。
【００１７】
ホストＰＣ１０１で動作する測色管理プログラム１０８は、印刷装置１０２、印刷装置１０３、及び印刷装置１０４を制御して、これらの測色を実行させるプログラムである。測色の用途としては、例えば、ＩＣＣプロファイル作成のための測色、カラー認証のための測色、カラーキャリブレーションのための測色等が挙げられる。測色管理プログラム１０８は、測色の用途毎やその他各種設定毎の測色作業を、履歴やお気に入りとして管理する。また、測色管理プログラム１０８は、印刷装置１０２、印刷装置１０３、及び印刷装置１０４から、実行環境を取得する。本実施形態では、実行環境として、温度及び湿度を取得する。詳細は後述するが、さらに、測色管理プログラム１０８は、測色作業の履歴を再利用する場合に、現在の実行環境と履歴の実行環境との相違を判定し提示させる。
【００１８】
図２は、ホストＰＣ１０１のハードウェアの構成を示す図である。
【００１９】
ホストＰＣ１０１は、ＣＰＵ２０１と、ハードディスク２０２と、ディスプレイ２０３と、ＲＯＭ２０６と、ＲＡＭ２０７と、入力デバイス２０８と、有線ローカルＩ／Ｆ２０４と、有線ネットワークＩ／Ｆ２０９と、無線ネットワークＩ／Ｆ２１０とを備えている。これらの各デバイスは、それぞれがシステムバス２０５により接続されている。
【００２０】
ＣＰＵ２０１は、ホストＰＣ１０１上で動作するソフトウェアを実行する中央処理装置である。ＣＰＵ２０１で実行されるソフトウェアとしては、ホストＰＣ１０１のオペレーティングシステム、ホストＰＣ１０１の測色管理プログラム１０８等が挙げられる。
【００２１】
ハードディスク２０２は、測色管理プログラム１０８と、測色管理プログラム１０８のデータを保存する記憶装置である。また、ハードディスク２０２は、オペレーティングシステムのデータを保存する。
【００２２】
ディスプレイ２０３は、測色管理プログラム１０８の情報や、後述する各印刷装置の作業履歴を表示する表示装置である。
【００２３】
有線ローカルＩ／Ｆ２０４は、測色器を備える印刷装置１０２を、例えば、ＵＳＢ規格やＩＥＥＥ１３９４規格で接続するためのＩ／Ｆである。有線ネットワークＩ／Ｆ２０９は、測色器を備える印刷装置１０３を、例えば、イーサーネット規格で接続するためのＩ／Ｆである。無線ネットワークＩ／Ｆ２１０は、測色器を備える印刷装置１０４を、無線ＬＡＮで接続するためのＩ／Ｆである。
【００２４】
ＲＯＭ２０６には、ホストＰＣ１０１のオペレーティングシステムを起動するための基本プログラムが記憶されている。ＲＡＭ２０７は、ホストＰＣ１０１上で動作するオペレーティングシステムや測色管理プログラム１０８が利用する作業用記憶領域である。
【００２５】
入力デバイス２０８は、キーボードやマウスなどの入力デバイスである。オペレーターは、この入力デバイス２０８を利用することにより、後述するソフトウェアを操作することができる。
【００２６】
ここで、図３〜図８を用いて、本実施形態に係る測色システムを制御する測色管理プログラム１０８の各部と処理フローを説明する。
【００２７】
図３は、測色管理プログラム１０８のソフトウェアを構成する各部を示す図である。
【００２８】
測色管理プログラム１０８は、測色作業管理部３０２と測色作業実行部３０３を含む。測色管理プログラム１０８は、第１の印刷装置３０４と第２の印刷装置３０５の測色作業の制御を行う。第１の印刷装置３０４及び第２の印刷装置３０５は、それぞれ測色器を備えている。ここで、第１の印刷装置３０４及び第２の印刷装置３０５は、それぞれ印刷装置１０２、印刷装置１０３、印刷装置１０４のいずれでもよく、測色器を備えるものであれば、他の印刷装置であってもよい。また、図３には、測色管理プログラム１０８は、２台の印刷装置（第１の印刷装置３０４及び第２の印刷装置３０５）に接続するものとしたが、これに限定されるものではなく、測色器を備える印刷装置３台以上に接続されていてもよい。
【００２９】
測色作業管理部３０２は、印刷装置選択部３０６と、測色作業履歴・お気に入り提示部３０７と、測色作業履歴記憶部３０８と、測色作業お気に入り記憶部３０９とを備えている。この測色作業管理部３０２は、測色作業の設定や実行結果を、履歴やお気に入りとして記憶し管理する。
【００３０】
印刷装置選択部３０６は、測色作業実行部３０３で実行する測色作業の対象を特定するために、印刷装置を特定する。印刷装置選択部３０６により、印刷装置を特定することにより、前記特定した印刷装置に関する履歴やお気に入りについての情報を測色作業履歴・お気に入り提示部３０７がフィルタリングする。
【００３１】
測色作業履歴記憶部３０８は、測色作業実行部３０３で設定又は実行した測色作業の設定と結果を記憶する。
【００３２】
測色作業お気に入り記憶部３０９は、測色作業実行部３０３で設定又は実行した測色作業の結果を用い、使用者が選択した測色作業の設定をお気に入りの設定として記憶する。なお、測色作業の結果は記憶しない。例えば、測色作業を実行する際の各種設定を１セットのデータ毎にお気に入りの設定として記憶する。測色作業お気に入り記憶部３０９は、例えば、第１の印刷装置３０４及び第２の印刷装置３０５について、個体毎のデータ、機種毎のデータ、あるいは機種共通のデータをお気に入りとして記憶する。
【００３３】
測色作業履歴・お気に入り提示部３０７は、測色作業履歴記憶部３０８や測色作業お気に入り記憶部３０９から、印刷装置選択部３０６で特定した印刷装置に関わる履歴やお気に入りを提示する。
【００３４】
測色作業実行部３０３は、測色作業開始部３１０と、測色作業利用部３１４と、測色作業制御部３１５とを備えている。この測色作業実行部３０３は、測色作業の設定を行い、第１の印刷装置３０４及び第２の印刷装置３０５を制御して、測色を実行する。この測色作業実行部３０３は、印刷装置選択部３０６で特定した印刷装置に対して測色作業を実行するために、測色作業管理部３０２により起動される。
【００３５】
測色作業開始部３１０は、測色作業を新規に開始する又は測色作業の履歴やお気に入りの設定を再利用して測色作業を開始する。測色作業開始部３１０は、測色作業お気に入り選択部３１１と、測色作業履歴選択部３１２と、測色作業実行環境判断部３１３とを備えている。
【００３６】
測色作業お気に入り選択部３１１は、測色作業お気に入り記憶部３０９で管理されているお気に入りの設定を測色作業の設定の選択肢として提示して、オペレーターがお気に入りを選択することができるようになっている。そして、オペレーターが所定のお気に入りの設定を選択すると、選択されたお気に入りの設定を再利用することができる。また、測色作業お気に入り選択部３１１は、新規に測色作業を開始することができるように、例えば、お気に入りの選択肢として、「新規開始」という項目を選択肢として提示してもよい。
【００３７】
測色作業履歴選択部３１２は、測色作業履歴記憶部３０８で管理されている測色作業の履歴を選択肢として測色作業の設定の選択肢として提示して、オペレーターが履歴を選択することができるようになっている。そして、オペレーターが所定の履歴を選択すると、選択された履歴の設定を再利用することができる。
【００３８】
なお、測色作業お気に入り選択部３１１及び測色作業履歴選択部３１２は、いずれも選択された印刷装置に関する測色作業の設定の選択肢を提示する。
【００３９】
測色作業実行環境判断部３１３は、測色作業履歴選択部３１２において再利用する履歴が選択された場合、作業履歴の実行環境と現在の実行環境を比較して測色作業を実行する環境に相違があるか否かを判断する。所定の相違がある場合は、オペレーターに作業履歴の実行環境と現在の実行環境に相違があることを注意点として通知する。実行環境のパラメータとしては、例えば、温度・湿度がある。現在の実行環境の温度・湿度情報は、測色管理プログラム１０８により、第１の印刷装置３０４及び第２の印刷装置３０５のそれぞれに備わる温度・湿度センサーから取得する。また、履歴の実行環境の温度・湿度手段は、測色作業履歴・お気に入り提示部３０７により測色作業履歴記憶部３０８から取得する。
【００４０】
測色作業利用部３１４は、測色作業開始部３１０によりオペレーターが選択した設定で測色作業を実行する際、履歴やお気に入りに記憶されている測色作業の設定を読み取って、選択された印刷装置にその設定を自動で設定する。なお、測色作業開始部３１０により新規の測色作業が選択された場合は、オペレーターが設定した測色作業に必要な設定を用いる。測色作業利用部３１４で設定する情報としては、例えば、印刷設定、測色設定等が挙げられる。印刷設定としては、例えば、測色チャートのファイル名、用紙の種類、印刷品質、印刷データの解像度が挙げられる。測色設定としては、例えば、乾燥条件、測色条件が挙げられる。乾燥条件としては、例えば、送風ファンを用いるか自然乾燥を行うかの情報、乾燥時間等が挙げられる。測色条件としては、例えば、光源、視野角等が挙げられる。
【００４１】
測色作業制御部３１５は、印刷ジョブ制御部３１６と、測色ジョブ制御部３１７とを備えている。この測色作業制御部３１５は、測色作業利用部３１４で設定された測色作業に基づいて、印刷装置選択部３０６で選択された印刷装置に対して、測色作業の制御を行う。
【００４２】
印刷ジョブ制御部３１６は、測色用のチャートを含む印刷ジョブを生成し、選択された印刷装置にその印刷ジョブを送信する。選択された印刷装置は、印刷ジョブを受信すると、印刷ジョブに含まれる印刷データ（測色用チャート）の印刷を実行する。
【００４３】
測色ジョブ制御部３１７は、前記印刷データの印刷後の乾燥条件や測色条件を含む測色ジョブを生成し、選択された印刷装置にその測色ジョブを送信する。選択された印刷装置は、前記測色ジョブを受信すると、前記測色ジョブに含まれる前記乾燥条件や前記測色条件に基づき、乾燥・測色を実行する。
【００４４】
ここで、図４を用いて、測色作業のお気に入り又は作業履歴の表示及び選択方法を説明する。図４は、測色作業開始部３１０で提示する測色作業の開始画面の図である。
【００４５】
測色作業の開始画面４０１は、履歴タブ４０２と、お気に入りタブ４０３と、測色作業情報表示部４０６と、開始ボタン４１２と、キャンセルボタンとを備えている。
【００４６】
履歴タブ４０２は、測色作業履歴選択部３１２が提示するものであり、履歴の設定を再利用して測色作業を開始する際に使用される。お気に入りタブ４０３は、測色作業お気に入り選択部３１１が提示するものであり、お気に入りの設定を再利用して測色作業を開始する又は新規に測色作業を開始する際に使用される。
【００４７】
図４に示すように、履歴タブ４０２には、日付情報４０４及び用紙種類４０５を表示する。日付情報４０４は、測色作業履歴記憶部３０８に記憶されている測色作業履歴の日付情報であり、用紙種類４０５は、測色作業履歴記憶部３０８に記憶されている測色作業履歴の用紙種類である。また、図示しないが、お気に入りタブ４０３も同様に、日付情報及び用紙種類を表示する。日付情報は、測色作業お気に入り記憶部３０９に記憶されている測色作業履歴の日付情報であり、用紙種類は、測色作業お気に入り記憶部３０９に記憶されている測色作業履歴の用紙種類である。
【００４８】
図４では、履歴タブ４０２で測色作業履歴４１１が選択されることにより、選択された測色作業履歴４１１に下線部が表示されている。測色作業履歴選択部３１２により作業履歴が選択されると、これをトリガとして、測色作業履歴４１１と同様の設定が選択された印刷装置に自動で設定される。
【００４９】
測色作業情報表示部４０６は、履歴タブ４０２又はお気に入りタブ４０３において、オペレーターが選択した測色作業の設定の情報を示す。図４では、測色作業情報表示部４０６には、履歴タブ４０２で選択された測色作業履歴４１１の情報が表示されている。
【００５０】
測色作業履歴４１１は、測色作業の設定が同一のものが集約して提示される。本実施形態では、測色作業履歴４１１は、実行日時が異なるが測色作業の条件設定が同一である一以上の履歴が一つの履歴として集約して提示される。図４では、選択した測色作業履歴４１１の欄には、「（３）２０１１／０６／１４〜２０１１／０６／２２」と表示されている。これは、測色作業履歴４１１に３つの履歴が存在していること及びその履歴の日付範囲を表している。このように、測色作業履歴４１１の作業履歴の個数と日付情報を表示することにより、同一の設定を用いた測色作業の履歴の個数とその実行履歴の日付範囲をオペレーターが容易に認識可能となる。
【００５１】
また、測色作業情報表示部４０６は、温度情報表示部４０７と、湿度情報表示部４０８と、メッセージ表示部４０９と、コメント表示部４１０とを含む。
【００５２】
温度情報表示部４０７及び湿度情報表示部４０８は、測色作業履歴４１１の実行環境履歴と現在の実行環境について温度・湿度それぞれの提示を行う。図４において、温度情報表示部４０７に表示されている「温度：２０〜２７℃」は、測色作業履歴４１１に含まれる測色作業履歴の温度が、２０〜２７℃の範囲にあることを示す。また、「（現在２３℃）」は、現在の実行環境が２３℃であることを示す。一方、湿度情報表示部４０８に表示されている「湿度：３０〜５５％」は、測色作業履歴４１１に含まれる測色作業履歴の湿度が、３０〜５５％の範囲にあることを示す。また、「（現在５５％）」は、現在の実行環境が５５％であることを示す。
【００５３】
メッセージ表示部４０９は、測色作業履歴４１１に関するメッセージを表示するものであり、本実施形態では、後述する履歴実行環境の判断フローを用いて、測色作業履歴４１１の注意点をオペレーターに通知する。
【００５４】
コメント表示部４１０は、測色作業毎に設定されたコメントを表示する。測色作業履歴４１１に含まれる測色作業履歴それぞれに、異なるコメントが設定されていた場合、コメント表示部４１０は複数の選択肢を表示する。
【００５５】
さらに、本実施形態の測色作業情報表示部４０６は、タスク名称を表示しており、具体的には「タスク名称：（お気に入り）プロジェクト１のタスク」と表示している。ここで、「（お気に入り）」は、測色作業履歴４１１の設定がお気に入りタブ４０３にも管理されていることを示す。
【００５６】
開始ボタン４１２は、履歴タブ４０２又はお気に入りタブ４０３において選択した測色作業の設定を再利用して、測色作業を開始するための開始ボタンである。図４では、開始ボタン４１２が押下されると、履歴タブ４０２において選択した測色作業履歴４１１を再利用して測色作業が開始される。なお、お気に入りタブ４０３から測色作業お気に入り記憶部３０９により管理された測色作業お気に入りが選択されている場合は、開始ボタン４１２が押下されると、お気に入りタブ４０３において選択したお気に入りの設定を再利用して測色作業が開始される。
【００５７】
このように、測色作業履歴４１１の作業履歴の個数と日付情報を表示することにより、同一の設定を用いた測色作業の履歴をオペレーターが容易に認識可能となる。したがって、実行済みの作業履歴を容易に再利用することができる。
【００５８】
図５を用いて、測色作業履歴記憶部３０８の記憶するデータについて説明する。図５は、履歴タブ４０２に表示する履歴に関する測色作業履歴テーブルの一例である。この測色作業履歴テーブルは、印刷装置選択部３０６で選択した印刷装置に関するものであり、測色作業履歴記憶部３０８において管理される。
【００５９】
本実施形態に係る測色作業履歴は、識別情報ＩＤ５０１、開始日時５０２、用紙種類５０３、カラーチャート５０４、印刷品質５０５、光源５０６、視野角５０７、タスク名５０８、コメント５０９、温度／湿度５１０、及び同一設定ＩＤ５１１の情報を保持している。
【００６０】
識別情報ＩＤ５０１は、各作業履歴を識別するためのＩＤである。図５では、この識別情報ＩＤ５０１は、３桁の数字を用いて示し、００１から順に、００２、００３のように値を順に＋１増加させた値としている。この識別情報ＩＤ５０１は、後述する履歴表示リストの判断フローに用いるため数値で表現している。
【００６１】
開始日時５０２は、各作業履歴の開始日時を示す。用紙種類５０３は、各作業履歴において印刷に用いた用紙種類を示す。カラーチャート５０４は、各作業履歴で使用したカラーチャートのファイル名を示す。
【００６２】
印刷品質５０５は、各作業履歴の印刷品質を示す。印刷品質５０５としては、例えば、解像度が挙げられる。本実施形態では、印刷品質として、解像度６００ｄｐｉ、解像度３００ｄｐｉが選択できるようになっている。
【００６３】
光源５０６は、各作業履歴において測色に用いた光源を示す。光源５０６は、特に限定されないが、例えば、Ｄ５０、Ｄ６５が挙げられる。
【００６４】
視野角５０７は、各作業履歴において測色に用いた視野角を示す。視野角５０７は、例えば、２度、１０度である。
【００６５】
タスク名５０８は、各作業履歴に設定された名称となるタスク名である。タスク名５０８は、印刷設定や測色設定に関わらず、各作業履歴に対して任意に設定できる名称である。
【００６６】
コメント５０９は、各作業履歴に設定されたコメントを示す。コメント５０９は、印刷設定や測色設定に関わらず、各作業履歴に対して任意に設定できる内容である。
【００６７】
温度／湿度５１０は、各作業履歴を実行した時の実行環境の温度／湿度を示す。
【００６８】
同一設定ＩＤ５１１は、作業履歴の設定が他の作業履歴と同一設定があるか否かを判断した結果、同一設定がある場合は同一設定の作業履歴の識別情報ＩＤ５０１を示す。例えば、同一設定ＩＤ５１１が「００１」となっている場合、識別情報ＩＤ５０１が「００１」の作業履歴と同一設定であることを示す。図５における同一設定とは、用紙種類５０３、カラーチャート５０４、印刷品質５０５、光源５０６、及び視野角５０７の条件設定が同一であることを示す。
【００６９】
図６は、測色作業履歴選択部３１２が実行する判断フローである。測色作業履歴選択部３１２は、履歴タブ４０２に表示する作業履歴をリストアップする際に、図５の測色作業履歴テーブルのデータをもとに、図６に示す判断フローを実行する。図６に示す判断フローでは、ある履歴と同じ条件設定をもつ履歴が存在するか否かを判断する。なお、図６において、Ｎは比較元となる作業履歴を特定する変数を表しており、Ｊは比較対象となる作業履歴を特定する変数を表している。Ｎ＝１の場合、識別情報ＩＤ５０１が００１であることを示す。Ｊ＝１の場合も同様に、識別情報ＩＤ５０１が００１であることを示す。Ｎ＝７の場合は、識別情報ＩＤ５０１が００７であることを示す。Ｊ＝７の場合も同様に、識別情報ＩＤ５０１が００７であることを示す。
【００７０】
ステップ６０１で、履歴表示リストの判断フローを開始する。
【００７１】
ステップ６０２で、Ｎ＝１と初期化する。このとき、測色作業履歴テーブルのすべての履歴について同一設定ＩＤ５１１を０００と初期化する。
【００７２】
ステップ６０３で、Ｎが履歴数以下かどうかを判定する。なお、図５に示した測色作業履歴テーブルの例では、履歴数＝７である。履歴数以下の場合はステップ６０４に進む。ステップ６０３でＮが履歴数を超えていた場合は、フローを終了する（ステップ６１１）。
【００７３】
ステップ６０４で、Ｊ＝Ｎを設定する。
【００７４】
ステップ６０５で、Ｊが履歴数以下か否かを判定し、Ｊが履歴数以下である場合は、ステップ６０６に進む。Ｊが履歴数を超えている場合は、ステップ６１０に進む。
【００７５】
ステップ６０６で、同一設定ＩＤ５１１に識別情報ＩＤ５０１が設定済みか否かを判断する。具体的には、ステップ６０６では、同一設定ＩＤ５１１が初期化した０００でなければ識別情報ＩＤ５０１が設定済みと判断し、初期化した０００であれば識別情報ＩＤ５０１が設定されていないと判断する。ステップ６０６で同一設定ＩＤ５１１に識別情報ＩＤ５０１が設定済みである場合は、ステップ６０９に進む。ステップ６０６で同一設定ＩＤ５１１に識別情報ＩＤ５０１が設定済みでない場合はステップ６０７に進む。
【００７６】
ステップ６０７で、比較元の履歴Ｎと比較対象の履歴Ｊとを比較して設定が同一であるか否かを判断する。設定が同一であった場合は、ステップ６０８に進む。ステップ６０７で、設定が同一でない場合は、ステップ６０９に進む。
【００７７】
ここで、比較元の履歴Ｎと比較対象の履歴Ｊとを比較して設定が同一か否かの判断方法について簡単に説明する。設定が同一か否かを判断する場合、図５に示した測色作業履歴テーブルの情報のうち、比較の判断に用いる条件を予め設定する。この予め設定した条件が全て一致するか否かを比較する。本実施形態では、用紙種類５０３、カラーチャート５０４、印刷品質５０５、光源５０６、及び視野角５０７を比較の判断に用いる条件とし、これらがすべて一致した場合に設定が同一であると判断する。
【００７８】
ステップ６０８で、履歴Ｊの同一設定ＩＤ５１１として履歴Ｎを設定する。
【００７９】
ステップ６０９では、履歴Ｎの比較対象となる履歴Ｊ（識別情報ＩＤ５０１）について、次の識別情報ＩＤ５０１とするため、Ｊ＝Ｊ＋１としてステップ６０５に戻る。
【００８０】
ステップ６１０では、比較対象となる識別情報ＩＤ５０１を表現する履歴Ｎについて、次の識別情報ＩＤ５０１とするため、Ｎ＝Ｎ＋１として、ステップ６０３に戻る。そして、ステップ６０３でＮが履歴数を超えていた場合は、フローを終了する（ステップ６１１）。
【００８１】
図６の履歴表示リスト判断フローに従うと、図５の測色作業履歴テーブルの同一設定ＩＤ５１１は次のようになる。識別情報ＩＤ５０１＝００１の場合、同一設定ＩＤ５１１＝００１となる。また、識別情報ＩＤ５０１＝００１の作業履歴と同一の条件で実行された作業履歴としては、識別情報ＩＤ５０１＝００４、００５の作業履歴が存在する。したがって、識別情報ＩＤ５０１＝００４、００５の作業履歴には、同一設定ＩＤ５１１として００１が設定される。このように、同一の条件で実行した作業履歴が複数存在する場合は、同一の条件で実行された他の作業履歴の同一設定ＩＤ５１１を、自身の同一設定ＩＤ５１１として設定する。一方、識別情報ＩＤ５０１＝００２の場合、自身の作業履歴と同一の条件で実行された作業履歴が他に存在しない。この場合は、自身の識別情報ＩＤ５０１を自身の同一設定ＩＤ５１１と設定する。すなわち、識別情報ＩＤ５０１＝００２の場合、同一設定ＩＤ５１１＝００２となる。このようにして、図５に示すように同一設定ＩＤ５１１が設定される。
【００８２】
測色作業履歴選択部３１２が上述した判断フローを実行することにより、同一設定があるか否かが判断されて、所定の同一設定ＩＤ５１１が付与される。そして、同一設定ＩＤ５１１を元に図４に示す履歴タブ４０２に測色作業履歴を表示する。具体的には、同一設定ＩＤ５１１が同一である場合は、測色作業の設定が同一のものとして集約して表示する。これにより、同一設定の作業履歴は、図４に示す履歴タブ４０２の測色作業履歴４１１のように表示される。一方、同一設定の測色作業履歴がない測色作業履歴は、履歴タブ４０２にそれぞれ表示される。
【００８３】
上述した手順により、測色作業履歴選択部３１２は、履歴タブ４０２に一覧表示する履歴をリストアップする際に、図５に示した測色作業履歴テーブルのデータに基づいて図６に示す判断フローを実行する。図６に示す判断フローは、恒久的に履歴タブ４０２に表示する情報を作成するものではなく、履歴タブ４０２が表示される場合に実行される。
【００８４】
このように、履歴タブ４０２には、設定条件の履歴が表示されることにより、オペレーターが履歴の再利用をする際に選択指示が容易になる。具体的には、同一設定条件がある履歴と、同一設定条件がない履歴を容易に識別することができるため、履歴の再利用をする場合の選択指示が容易になる。
【００８５】
図７は、図５に示した測色作業履歴テーブルの各履歴の温度／湿度をグラフ上に表示した図である。横軸は温度Ｔ（℃）を示し、縦軸は湿度Ｈ（％）を示す。図中において白丸は、現在の実行環境であり、温度２３℃で湿度５５％である。その他の黒丸は、図５に示した測色作業履歴テーブルの各履歴の測色作業時の実行環境である。黒丸に付した「００１」等の情報は、図５に示した測色作業履歴テーブルの識別情報ＩＤ５０１である。同一設定ＩＤ５１１が００１である履歴は、同一設定ＩＤ５１１が００１である黒丸７０４、同一設定ＩＤ５１１が００４である黒丸７０５、同一設定ＩＤ５１１が００５である黒丸７０６である。そして、実行環境は所定の温度範囲毎、所定の湿度範囲毎に複数の領域に区分けされている。現在の実行環境又は履歴の実行環境がいずれの領域に存在しているかということは、ホストＰＣ１０１が印刷装置から取得してＲＡＭ２０７に記憶している。図７に示すように、現在の実行環境７０３は、２０≦Ｔ＜２５、５０≦Ｈ＜７０の領域Ａに存在している。なお、区分けの際の閾値については、例えば、ＲＡＭ２０７に記憶されており、この閾値の設定は、設計時に変更してもよく、また、使用者が適宜変更してもよい。
【００８６】
ここで、測色作業実行環境判断部３１３がメッセージ表示部４０９にメッセージを通知する際の履歴実行環境判断フローを図８に示す。
【００８７】
測色作業履歴選択部３１２において測色作業履歴が選択されると、測色作業履歴選択部３１２は、選択された測色作業履歴の識別情報ＩＤ５０１を測色作業実行環境判断部３１３に通知する。測色作業実行環境判断部３１３は、この測色作業履歴選択部３１２の通知によって履歴実行環境判断フローを開始する（ステップ８０１）。なお、図４で選択された測色作業履歴４１１には３つの作業履歴が集約されており、各作業履歴の識別情報ＩＤ５０１は、それぞれ００１、００４、００５である。したがって、測色作業実行環境判断部３１３には、測色作業履歴選択部３１２から００１、００４、００５と通知される。
【００８８】
ステップ８０２で、測色作業履歴選択部３１２から通知された識別情報ＩＤ５０１が複数であるか否かを判断する。ステップ８０２で、複数と判断した場合は、ステップ８０３に進む。ステップ８０２で、複数と判断されなかった場合は、ステップ８０４に進む。
【００８９】
ステップ８０３で、後述するステップ８０５の判定で使用する閾値を所定の値に設定する。ここでいう閾値とは、後述する通知をするか否かを判断するのに使用するものであり、現在の実行環境の存在する領域に含まれる履歴数の割合の閾値である。例えば、現在の実行環境の存在する領域に含まれる履歴数の割合が７０％を閾値として設定する。
【００９０】
ステップ８０４で、選択された実行環境の領域Ａに含まれる割合は１００％と設定する。ステップ８０１において測色作業履歴選択部３１２から通知された履歴が１つであるためである。
【００９１】
ステップ８０５では、測色作業履歴選択部３１２から通知された履歴が実行環境の存在する領域に含まれる割合がステップ８０３で設定された閾値以上であるか否かを判定する。通知された履歴が実行環境の存在する領域に含まれる割合が閾値以上であればステップ８０７へ進み、終了する。通知された履歴が実行環境の存在する領域に含まれる割合が閾値未満であればステップ８０６へ進む。例えば、現在の実行環境が７０３である場合、実行環境の領域はＡである。したがって、測色作業履歴選択部３１２から００１、００４、００５が通知された場合、領域Ａには００１のみ存在しているので、領域Ａに含まれる割合は１／３（約３３％）となる。そして、ステップ８０３では、閾値が７０％と設定されているので、３３％（領域Ａに含まれる割合）＜７０％（所定の割合）であり、閾値以上ではない（閾値未満）であると判定されて、ステップ８０６へ進む。なお、ステップ８０３において、閾値が１００％と設定されている場合は、複数の履歴のすべてが領域Ａに含まれている場合以外は、すべてステップ８０６へ進むことになる。
【００９２】
ステップ８０６で、測色作業履歴選択部３１２から通知された履歴と、現在の実行環境の領域Ａとの相違を通知する。例えば、図４の測色作業情報表示部４０６のメッセージ表示部４０９では、「現在の実行環境は、履歴の実行環境と異なりますので設定を再確認してください。」のように通知することで、オペレーターに履歴再利用時の注意点を通知し、ステップ８０７へ進み、終了する。なお、特に図示していないが、オペレーターは、履歴再利用時の注意点の結果を確認して、適宜、再利用する履歴を選択しなおしてもよい。
【００９３】
上述したように、測色作業実行環境判断部３１３は、現在の実行環境と作業履歴の実行環境を比較して相違があるか否かを判断し、相違があると判断した場合は、メッセージ表示部４０９にメッセージを通知する。すなわち、測色作業実行環境判断部３１３は、現在の実行環境と作業履歴の実行環境に相違があるという判定結果が得られた場合は、メッセージ表示部４０９にその情報を通知する。
【００９４】
本実施形態では、同一設定の作業履歴が他に存在しない場合には、現在の実行環境と作業履歴の実行環境が同一であるか否かを判断することになる。一方、同一設定の作業履歴が複数存在する場合には、複数の作業履歴の実行環境が現在の実行環境と一致する割合が所定の閾値以上か否かを判定し、閾値以上である場合は相違がない（相違が許容できる）と判断し、閾値未満である場合は相違があると判断する。これにより、オペレーターは、より確実に適切な設定の履歴を再利用することが容易となる。本実施形態において、所定の閾値を設定して、現在の実行環境に含まれる履歴の割合が閾値以上であるか否かを判定したのは、実績の多い実行環境により測色作業を実行すると、適切に測色作業が実行される可能性が高いためである。
【００９５】
測色作業実行環境判断部３１３の判断処理が終了すると、ホストＰＣ１０１により、選択された印刷装置に対し、選択された条件設定が自動で設定される。
【００９６】
本実施形態では、所定の測定設定や所定の印刷設定が同一設定の作業履歴を一つにまとめて表示することにより、再利用する作業履歴の識別が容易となる。したがって、作業履歴に同じものがあるか否かを確認する時間を省くことができ、容易に適切な作業履歴を選択して再利用することができる。
【００９７】
また、本実施形態では、測色作業実行環境判断部３１３は、測色作業履歴記憶部３０８の履歴を再利用して測色作業を開始する場合、現在の実行環境と履歴の実行環境との相違があるか否かを判断する。そして、相違がある場合は、履歴を再利用する場合の注意点をオペレーターに通知する。これにより、オペレーターが測色作業履歴記憶部３０８の履歴を再利用する場合、作業履歴の実行環境と現在の実行環境の相違を容易に判断することができる。現在の実行環境と履歴の実行環境との相違点の情報は、適切な測色を行うために有効な情報である。例えば、測色作業の乾燥条件は、用紙種類、温度、湿度等によって異なるためである。したがって、履歴を再利用する場合の注意点をオペレーターに通知することにより、オペレーターはより適切な設定により測色作業を実行することができる。
【００９８】
（実施形態２）
図５及び７を用いて本実施形態について説明する。なお、実施形態１と同一の構成については説明を省略する。
【００９９】
実施形態１では、図６のステップ６０７において、同一設定ＩＤ５１１を用いて履歴の設定が同一か否かを判断する際に、開始日時５０２、用紙種類５０３、カラーチャート５０４、印刷品質５０５、光源５０６、視野角５０７、及びタスク名５０８の各種条件設定が一致しているか否かを判断したが、本実施形態では、実行環境設定が一致しているか否かを判断する。ここでいう実行環境設定とは、具体的には、温度／湿度５１０である。
【０１００】
ここで、図７を用いて温度／湿度５１０の実行環境設定が同一か否かの判断方法について説明する。なお、本実施形態で用いる履歴の実行環境設定は、オペレーターが選択できる設定項目ではなく、測色管理プログラム１０８によって測色作業履歴記憶部３０８に記録された情報である。
【０１０１】
図７に示した履歴の温度／湿度のグラフでは、識別情報ＩＤ５０１が００１の作業履歴の温度／湿度は、領域Ａに存在する。領域Ａに存在する他の作業履歴は存在しないため、ステップ６０７で、識別情報ＩＤ５０１が００１の履歴と同一設定が存在しないと判断する。そして、識別情報ＩＤ５０１が００１の作業履歴のみが、同一設定ＩＤ５１１が００１と設定される。
【０１０２】
一方、識別情報ＩＤ５０１が００２の作業履歴は、領域Ｂに存在する。識別情報ＩＤ５０１が００２の作業履歴は、同一設定ＩＤ５１１を００２と設定する。そして、領域Ｂには、識別情報ＩＤ５０１が００３の作業履歴が存在するため、ステップ６０７で、識別情報ＩＤ５０１が００２の履歴と同一設定が存在すると判断する。そして、ステップ６０８で、識別情報ＩＤ５０１が００３の作業履歴の同一設定ＩＤ５１１は、識別情報ＩＤ５０１が００２の作業履歴の同一設定ＩＤ５１１と同じ００２とする。
【０１０３】
識別情報ＩＤ５０１が００４の作業履歴は、領域Ｃに存在する。そして、領域Ｃには、識別情報ＩＤ５０１が００４、００５、００６、００７の作業履歴が存在する。したがって、ステップ６０７で、識別情報ＩＤ５０１が００４、００５、００６、００７の作業履歴は、同一設定ＩＤ５１１はいずれも００４となる。
【０１０４】
以上のようにして同一設定ＩＤ５１１を設定する。この同一設定ＩＤ５１１に基づいて、図４に示した履歴の一覧と同様に、同一の実行環境にある履歴を明示すればよい。これにより、オペレーターは、同一環境で実行された履歴を容易に識別可能となる。オペレーターが現在の実行環境に近い履歴を選択することで、現在の実行環境に近い履歴が複数明示されるので、選択された実行環境と同一環境の実行履歴をもつ履歴の再利用が容易になる。
【０１０５】
（他の実施形態）
以上、実施形態に基づいて発明を説明したが、本発明の基本的構成は上述したものに限定されるものではない。例えば、上述した実施形態では、測色管理プログラム１０８がホストＰＣ１０１で動作するものとしていたが、印刷装置１０２、印刷装置１０３、印刷装置１０４で動作するものであってもよい。
【０１０６】
また、履歴情報として記憶される情報は、図５に示した測色作業履歴テーブルの情報に制限されるものではない。例えば、色認証を行う場合は、履歴情報として記憶される情報として、認証条件となる平均色差の値、最大色差の値、色差算出方法、比較対象のデータ名などが挙げられる。
【０１０７】
実施形態１では、測色作業履歴選択部３１２により履歴が選択された場合に、測色作業実行環境判断部３１３により図８に示す判断フローにより実行環境の判断を行ったが、測色作業お気に入り選択部３１１によりお気に入りが選択された場合も同様に判断を行ってもよい。
【０１０８】
また、実施形態１では、測色作業を再利用する際に、作業履歴又はお気に入りを選択して設定できるようにしたが、勿論、測色作業お気に入り記憶部３０９や測色作業お気に入り選択部３１１を備えていなくてもよい。
【０１０９】
上述した実施形態では、用紙種類５０３、カラーチャート５０４、印刷品質５０５、光源５０６、及び視野角５０７を同一設定か否かを判断する情報として用いたが、同一設定か否かを判断する情報はこれに限定されるものではない。同一設定か否かを判断する情報として、例えば、オペレーターが設定できる各種設定の情報を用いることができる。印刷設定として、パッチサイズ、用紙サイズ、印刷画質、ロール紙印刷時の用紙カット指定などが管理される場合、これらを比較の判断に用いる情報に含めてよい。印刷画質としては、例えば、文字・線画、オフィス文書、プルーフ、写真のような設定が挙げられる。パッチサイズは、カラーチャート内の各データが印字される際の矩形画像のサイズであり、例えば、標準パッチサイズ、大きいバッチサイズ等の設定が挙げられる。用紙カット指定としては、印刷後にロール紙をカットする／しない、又は切り取り線を印刷する等の設定が挙げられる。また、任意の画像を印刷データに含める場合は、画像ファイル名、画像の印刷サイズ、画像の用紙上での配置、画像の回転、画像の拡大縮小等が画像設定として管理される場合、これらを同一設定か否かを判断する情報に含めてもよい。画像の用紙上での配置は、例えば、用紙に対して、画像を左寄せ、中央寄せ、右寄せ、のように配置する設定が挙げられる。色変換のＯＮ／ＯＦＦ、入出力ＩＣＣプロファイルの指定、マッチングを実行するモジュールの指定、マッチング方法の指定、任意の画像に対するＩＣＣプロファイルの指定などが色変換の設定として管理される場合、これらを同一設定か否かを判断する情報に含めてもよい。送風乾燥／自然乾燥の指定、乾燥時間の指定などが乾燥条件の設定として管理される場合、これらを同一設定か否かを判断する情報に含めてもよい。さらに、ＵＶカットの有無等が測色条件の設定として管理される場合、これらを同一設定か否かを判断する情報に含めてもよい。平均色差の値、最大色差の値、色差算出方法、比較対象のデータ名などが色認証の認証条件として管理される場合、これらの設定を同一設定か否かを判断する情報に含めてもよい。
【０１１０】
実施形態１では、温度と湿度に基づいて複数の領域に区分けし、現在の実行環境がいずれの領域に含まれるかに基づいて、履歴の実行環境と現在の環境の相違があるか否かを判断した。また、実施形態２では、温度と湿度に基づいて複数の領域に区分けし、作業履歴が同一設定であるか否かを判断した。しかしながら、実行環境における温度や湿度の同一性の判断はこれに限定されるものではない。例えば、履歴の実行環境と現在の実行環境の相違があるか否かの判断は、作業履歴の実行環境と現在の実行環境との差に基づいて、行うようにしてもよい。具体的には、例えば、実行環境として温度及び湿度の相違を判定する場合、作業履歴の実行環境の温度と実行環境の温度の差が５℃以内且つ作業履歴の実行環境の温度と実行環境の湿度の差異が２０％以内であれば、相違がないと判定するようにしてもよい。これにより、より正確に現在の実行環境と作業履歴の環境に相違があるか否かを判定することができる。温度と湿度に基づいて作業履歴が同一設定であるか否かについて判断する場合も同様である。
【０１１１】
図８では、設定条件が同一であるか否かを判定した後に、現在の実行環境に含まれる履歴の割合が閾値未満である場合は、履歴の実行環境と現在の実行環境との相違があると通知するようにしたが、これに限定されるものではない。例えば、複数の同一設定の作業履歴が存在する場合は、環境条件が同一設定の作業履歴が１以上あるときは、通知をしないように設定してもよく、さらに、設定条件及び環境条件が同一設定の作業履歴をオペレーターに通知するようにしてもよい。
【０１１２】
また、実施形態１では、用紙種類５０３等の設定条件が同一であれば同一設定であると判断し、実施形態２では、温度及び湿度等の環境条件が所定の範囲内であれば同一設定であると判断したが、勿論、同一設定か否かを判断する際に設定条件及び環境条件の両者をすべて判断するようにしてもよい。この場合は、例えば、設定条件が同一設定か否かを判断した後に環境条件が同一設定のものが存在するか否かを判断すればよい。
【０１１３】
また、測色作業の履歴情報の表示方法は、図４に示すものに限定されるものではない。図４では、履歴タブ４０２において測色作業の設定が同一のものは、測色作業履歴４１１のように集約して表示するようにしたが、同一設定の測色作業履歴は集約せずに、例えば、図９を用いて説明する方法により明示するようにしてもよい。図９は、他の実施形態に係る履歴表示部の一例を示す図である。なお、履歴表示部以外の構成については、実施形態１と同様であるので説明を省略する。
【０１１４】
図９において、測色作業履歴９０１、測色作業履歴９０２、測色作業履歴９０３は、測色作業の条件が同一設定であり、他の測色作業履歴は条件が同一設定のものが存在しない。この場合、例えば、測色作業履歴９０１が選択されると、図９に示すように、選択された測色作業履歴９０１に下線部が表示されると共に、同一設定である測色作業履歴９０１、測色作業履歴９０２、測色作業履歴９０３の日付情報の先頭に＊印を付加して表示する。これにより、測色作業履歴９０１、測色作業履歴９０２、及び測色作業履歴９０３が同一設定であることを明示する。一方、例えば、測色作業履歴９０４が選択されると、同一設定のものは存在しないため＊印は表示されない。このように、同一設定の測色作業履歴を明示することにより、オペレーターは同一設定の作業履歴と同一設定ではない作業履歴を容易に識別することができる。したがって、再利用する作業履歴の選択指示が容易になる。
【０１１５】
実施形態１及び２では、ホストＰＣ１０１が複数の印刷装置を管理対象とするシステムについて説明したが、管理対象とする印刷装置は１台であってもよい。また、ホストＰＣ１０１が管理対象となっている印刷装置の制御するものとしたが、印刷装置自身がホストＰＣ１０１と同様の構成を備えるものとしてもよい。
【０１１６】
また、実施形態１及び２では、ホストＰＣ１０１のディスプレイ２０３に、管理対象となる印刷装置の作業履歴を表示するようにしたが、印刷装置がディスプレイ等を備える場合はそのディスプレイに作業履歴を表示するようにしてもよい。
【０１１７】
上述した実施形態では、印刷装置を管理するシステムについて説明したが、本発明はこれに限定されるものではない。例えば、画像データに応じた画像を表示する画像表示装置、画像データを通信可能に接続された他の装置に送信する画像送信装置、および画像データを所定の保存先に保存する画像保存装置などの各種画像出力装置の情報処理に適用することができる。さらに、実施形態１及び２では、処理として測色処理を例に挙げて説明したが、これに限定されるものではない。本発明は、処理を実行する際に多数の条件を設定する場合に、作業履歴を再利用するのに特に有用である。すなわち、上述したような画像出力装置では、処理を実行する際に多数の条件が設定されるため、本発明は特に有効である。
【０１１８】
上述した実施形態は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、一部または全部をハードウェアによって実現するようにしてもよい。
【符号の説明】
【０１１９】
１０１  ホストＰＣ
１０２  印刷装置
１０３  印刷装置
１０４  印刷装置
１０８  測色管理プログラム
３０２  測色作業管理部
３０３  測色作業実行部
３０６  印刷装置選択部
３０７  測色作業履歴提示部
３０８  測色作業履歴記憶部
３０９  測色作業お気に入り記憶部
３１０  測色作業開始部
３１４  測色作業利用部
３１５  測色作業制御部
【図１】
2013186828.tif 000003
【図２】
2013186828.tif 000004
【図３】
2013186828.tif 000005
【図４】
2013186828.tif 000006
【図５】
2013186828.tif 000007
【図６】
2013186828.tif 000008
【図７】
2013186828.tif 000009
【図８】
2013186828.tif 000010
【図９】
2013186828.tif 000011